(57)【要約】【課題】薬液浸漬時、液体が内部に侵入することによる機能障害の発生因子を全て排除することができる内視鏡システムを提供する。【解決手段】内視鏡本体に対して着脱自在に設けられ、内視鏡本体に設けられた電気部品に電力を供給するためのバッテリを収容するバッテリケースと、バッテリケースに設けられてバッテリと電気的に接続した第１の接点と、バッテリケースを保持するためのホルダと、内視鏡本体を保管可能な高さにホルダを支持する内視鏡ハンガーと、バッテリケースがホルダに保持されたときに前記第１の接点に対して電気を供給可能に前記ホルダに設けられた第２の接点とを具備する。【選択図】図１３
2005334678.tif 000002
【特許請求の範囲】
【請求項１】
内視鏡本体と、
前記内視鏡本体に対して着脱自在に設けられ、前記内視鏡本体に設けられた電気部品に電力を供給するためのバッテリを収容するバッテリケースと、
前記バッテリケースに設けられて前記バッテリと電気的に接続し、前記バッテリを充電するための電気を受給するための第１の接点と、
前記バッテリケースを保持するためのホルダと、
前記内視鏡本体を保管可能な高さに前記ホルダを支持する内視鏡ハンガーと、
前記バッテリケースが前記ホルダに保持されたときに前記第１の接点に対して電気を供給可能に前記ホルダに設けられた第２の接点と、
を具備したことを特徴とする内視鏡システム。
【請求項２】
前記第１の接点は、磁力接点であることを特徴とする請求項１に記載の内視鏡システム。
【請求項３】
前記第２の接点は、磁力接点であることを特徴とする請求項１に記載の内視鏡システム。
【請求項４】
前記第１の接点は、前記バッテリケースの底面に設けられていることを特徴とする請求項１に記載の内視鏡システム。
【発明の詳細な説明】
【技術分野】
【０００１】
本発明は小型のバッテリ式光源を用いた内視鏡システムに関する
【背景技術】
【０００２】
一般に、バッテリ光源式の内視鏡は携帯性に優れており、緊急時の処置や、ベットサイドでの処置のように、大きな光源装置を運び込むことが困難な場所での用途に特に優れた効果を発揮する。
【０００３】
例えば特願平８−３９７３９号には、電源に乾電池を使用し、内部をＯリングによって水密に保っているバッテリ型光源（バッテリ光源とも言う）が、操作部に着脱自在に取り付いている内視鏡が提案されている。
【０００４】
また、別の従来例として、図１８に開示するようなバッテリ光源３０１が挙げられる。このバッテリ光源３０１は、電池収納部３０２及びランプホルダ収納部３０３を有するバッテリ光源本体３０４と、前記電池収納部３０２をＯリング３０５によって水密的にカバーするカバー部材３０６と、前記ランプホルダ収納部３０３に着脱可能で、ランプ点灯スイッチの機能も兼ねるランプホルダ３０７とによって構成されている。
【０００５】
前記ランプホルダ３０７には取付用のスロープ部３０８が設けられており、このスロープ部３０８を接点ピン３０９に合わせて前記ランプホルダ収納部３０３に押し込むことにより前記バッテリ光源本体３０４に前記ランプホルダ３０７を取り付けることができる。
【０００６】
また、前記バッテリ光源本体３０４の側面には前記接点ピン３０９と連動するランプ取り外しレバー３１０が設けられており、このランプ取り外しレバー３１０を下方にスライドさせることにより前記ランプホルダ３０７は前記バッテリ光源本体３０４から取り外し可能となる。
【０００７】
尚、前記ランプホルダ３０７が前記バッテリ光源本体３０４に取り付いた状態では、Ｏリング３１１より両者の水密が保たれている。つまり、バッテリ光源内外はＯリング３０５とＯリング３１１によって完全に水密に保たれている。
【０００８】
従来から、内視鏡を消毒・滅菌する簡便・容易な方法として、薬液浸漬が広く行われているが、これらバッテリ光源を薬液浸漬する場合は、電池本体あるいは電池収納部に設けられた電気接点に液体が付着しないよう、電池収納部にカバー部材を水密的に取り付けた状態で行っている。
【発明の開示】
【発明が解決しようとする課題】
【０００９】
しかしながら、前述したバッテリ光源は、電池交換時に開閉する部分等、繰り返し着脱する部分のＯリングが摩耗したり傷付いたり、またはゴミが挟まったりすることにより水密が保てなくなる可能性がある。
【００１０】
その状態で、バッテリ光源を薬液に浸漬すると、その内部に薬液が侵入し、乾電池本体に液体が付着して漏電や液漏れ、ガスの発生が生じたり、あるいはあらかじめ乾電池をバッテリ光源から取り外していたとしても、電気接点部等に液体が付着して、接点表面の腐食、薄膜の形成により接点不良等の機能傷害が生じる恐れがあった。
【００１１】
また、一度バッテリ光源内に液体が侵入し、複雑な形状の電気接点に付着すると、それを除去する作業が非常に困難であった。
【００１２】
（発明の目的）
本発明は上述した点に着目したものであり、バッテリ光源を外装カバーとバッテリを含んだ内部ユニットとに分離し、外装カバーのみを薬液浸漬することによって、バッテリ光源を薬液浸漬等によって確実に消毒、滅菌でき、かつ漏電やバッテリの異常等の機能障害が生じる恐れが無いバッテリ光源式の内視鏡を提供することを目的とする。
【課題を解決するための手段】
【００１３】
本発明の内視鏡システムは、内視鏡本体と、前記内視鏡本体に対して着脱自在に設けられ、前記内視鏡本体に設けられた電気部品に電力を供給するためのバッテリを収容するバッテリケースと、前記バッテリケースに設けられて前記バッテリと電気的に接続し、前記バッテリを充電するための電気を受給するための第１の接点と、前記バッテリケースを保持するためのホルダと、前記内視鏡本体を保管可能な高さに前記ホルダを支持する内視鏡ハンガーと、前記バッテリケースが前記ホルダに保持されたときに前記第１の接点に対して電気を供給可能に前記ホルダに設けられた第２の接点と、を具備したことを特徴とする。
【発明の効果】
【００１４】
本発明によれば、「薬液浸漬時、液体が内部に侵入することによる機能障害」の発生因子を全て排除することができる。
【発明を実施するための最良の形態】
【００１５】
以下、図面を参照して本発明の実施の形態を説明する。
【００１６】
（第１の実施の形態）
図１〜図８は本発明の第１の実施の形態に係り、図１は第１の実施の形態の内視鏡の全体構成を示し、図２は内部ユニットと外装カバーからなるバッテリ型光源を分解して示し、図３はバッテリ型光源等の構造を示し、図４は図３（Ａ）のＥ−Ｅ線断面を示し、図５は図４のＦ−Ｆ線断面等を示し、図６はつまみ部を回動した場合の作用の説明図を示し、図７は内視鏡本体とバッテリ型光源の接続状態を示し、図８はバッテリ型光源のスイッチ機構を示す。
【００１７】
図１に示すように第１の実施の形態の内視鏡１は大きく分けて照明光を導光し、導光した照明光を患部等の被写体側に出射する照明光学系と、照明された被写体を観察する観察光学系とを備えた内視鏡本体２と、この内視鏡本体２の操作部１１（より具体的にはライトガイド口金１３）に着脱自在のバッテリ型光源（バッテリ光源とも言う）３とより構成されている。
【００１８】
バッテリ型光源３は、図２に示すように電源としての乾電池又は充電式電池を内蔵したバッテリユニット４と、このバッテリユニット４と着脱自在に接続され、光源としてのランプ２４が取り付けられるランプユニット５とからなる内部ユニット６と、前記ランプユニット５を覆い、内視鏡本体２に着脱自在な接続口金１４を有するランプハウス７と、前記バッテリユニット４を覆いランプハウス７に螺合により着脱自在に接続されるバッテリケース８から成る外装カバー９とから構成されている。
【００１９】
つまり、電源及び電源収納部を有するバッテリユニット４及び光源を収納したランプユニット５とからなる内部ユニット６は、その全体がランプハウス７及びバッテリケース８から成る外装カバー９で覆うようにしている。
【００２０】
図１に示す内視鏡本体２は、細長の挿入部１０と、この挿入部１０の後端に形成された操作部１１と、この操作部１１の後端に形成された接眼部１２と、操作部１１から突設されたライトガイド口金１３とからなり、このライトガイド口金１３の端部にランプハウス７の接続口金１４を着脱自在で接続できる。
【００２１】
挿入部１０は、その先端に形成された硬質の先端部１５と、この先端部１５の後端に形成され、湾曲自在の湾曲部１６と、湾曲部１６の後端から操作部１１の前端まで形成された可撓性を有する可撓部１７とからなる。
【００２２】
操作部１１には挿入部１０寄りに設けられ、術者が把持する把持部１８が形成され、この把持部１８の後端側に湾曲操作レバー１９が設けてあり、この湾曲操作レバー１９を回動する操作することにより前記湾曲部１６を湾曲することができる。また、この操作部１１には吸引を行う吸引ボタン２０と、この吸引ボタン２０の基端付近から突出するように吸引口金２１とが設けてあり、吸引口金２１は図示しないチューブを介して吸引装置に接続され、吸引ボタン２０を操作することにより吸引チャンネルに連通する吸引口金２１を介して体液などを吸引することができる。
【００２３】
また、操作部１１の前端側には鉗子などの処置具を挿入する鉗子挿入口２２が形成され、この鉗子挿入口２２は内部で吸引チャンネルに連通している。この鉗子挿入口２２には通常鉗子栓２３が取付けられている。
【００２４】
更に、鉗子挿入口２２の裏側には、通気口金５１が突設されており、この通気口金５１から内視鏡本体２内部に空気を送ることができ、内視鏡本体２の水漏れの検査を行うことができるようにしている。  
上記挿入部１０内には照明光を導光（伝送）するライトガイドファイバ２５が挿通され、このライトガイドファイバ２５は操作部１１内で屈曲されてその後端がライトガイド口金１３内で固定されている（図３、図７参照）。
【００２５】
そして、図１の矢印で示すようにこのライトガイド口金１３にバッテリ型光源３の接続口金１４を接続することにより、図７に示す接続状態に設定でき、ランプハウス７内部に装着されたランプ２４を発光させた場合には、このランプ２４からの照明光がライトガイド口金１３のライトガイドファイバ２５の光入射端面２６に供給される。供給された照明光はライトガイドファイバ２５により導光され、挿入部１０の先端部１５の照明窓に固定された先端面、つまり光出射端面から前方に出射され、患部などの被写体を照明する。
【００２６】
照明された被写体は照明窓に隣接する観察窓に取り付けた対物レンズによりその結像位置に光学像を結ぶ。この結像位置にはイメージガイドファイバの先端面が配置され、結像された光学像を接眼部１２側の端面に伝送する。伝送された光学像は接眼部１２の接眼窓に取り付けられた接眼レンズを介して拡大観察することができる。
【００２７】
バッテリ型光源３が接続されるライトガイド口金１３の細部の構成を図３（Ａ）に示す。図３（Ｂ）は図３（Ａ）におけるＢーＢ線断面、図３（Ｃ）は図３（Ａ）のＣ−Ｃ線断面、図３（Ｄ）は図３（Ａ）のＤ−Ｄ線断面、図３（Ｅ）は３（Ａ）の接続口金１４を周方向に展開して溝部を示している。また、図３（Ａ）の接続口金１４は図３（Ｂ）のＡ−Ａ線断面で示している。
【００２８】
操作部１１に設けた口金固定部材１１ａにライトガイドロッド２７の基端がネジで固着されている。このライトガイドロッド２７の先端側は肉厚を大きくして、基端側から挿通されたライトガイドファイバ２５の端部側をネジで固定している。
【００２９】
操作部１１の側部から水密的に突設されたライトガイドロッド２７の端部には、カバーガラス２８が水密的に固定されている。また、このライトガイドロッド２７におけるカバーガラス２８から操作部１１寄りとなる位置には図示しない既存の光源装着に接続可能なライトガイドケーブルを取り付けるネジ部２９が設けられている。更に、ライトガイドロッド２７におけるこのネジ部２９より操作部１１側の位置にはバッテリ型光源３を接続固定するための固定ピン３０が螺合により取り付けられている。
【００３０】
また、ライトガイドロッド２７の端部近傍を除く外周面にはその軸方向に断熱性のある材質から成る防熱カバー３１が同軸状に設けられている。この防熱カバー３１は、その基端側となる一端が操作部１１に固定され、他端は固定ピン３０がかくれる部分まで延びており、かくれた固定ピン３０の位置が確認出来る様に固定ピン３０の上部（外側位置）に指標３２ａが設けられている。
【００３１】
ライトガイドロッド２７と防熱カバー３１の間に設けられた空間には弾性を有するバネ３３と、これによりライトガイドロッド端面側に付勢されたワッシャ３４が配設されている。ワッシャ３４は防熱カバー３１の内面に設けた摺動規制凸部３５により空間外に飛び出さない様になっている。又、ライトガイドロット２７の中間部は外周部分を切り欠いたくびれ部３６が形成され、防熱カバー３１との空間がより広くなる様になっている。
【００３２】
更に、この空間は、ライトガイドロット２７の周囲３ヶ所に設けた溝部３８（図３（Ｃ）参照）及び防熱カバー３１の周囲３ヶ所に設けたスリット３７（図３（Ｄ）参照）により外気と常に連通し、ライトガイドロッド２７の熱を外気に放散し易い構造にしてライトガイド口金１３が高温になるのを抑制する構造にしている。
【００３３】
一方、図３、図４、図５、図６、図７、図８にバッテリ型光源３の詳細構造を示す。  
図３（Ａ）に示すランプユニット５を構成する、ランプユニット本体３９は、ランプ２４から発する熱に十分耐え得る絶縁部材で形成されている。
【００３４】
このランプユニット本体３９の底面或いは裏面（バッテリユニット４側）には、一対（＋極及び−極）のスナップジョイント４０ａがランプユニット本体３９と同材質から成るランプユニットベース４１をはさむ様にして、一方はランプユニットベース４１に埋め込まれた導電板４２（図４、図８参照）に、他方は、ランプユニット本体３９に嵌入したランプベース４３に、導電性のあるネジで固定されている。
【００３５】
前記導電板４２の一端はランプ２４の点灯、消灯を行うための弾性を有する導電部材から成る板バネスイッチ４４をランプユニット本体３９及び導電板４２との間にはさみ込む様にしてランプユニット本体３９にネジ固定されている。すなわち、前記スナップジョイント４０ａの一方は、板バネスイッチ４４に電気的に導通した状態にある。
【００３６】
板バネスイッチ４４は図８に示す様にランプユニットベース４１に対し鋭角θに固定され、その角度に合わせる様にランプユニット本体３９が鋭角θに切り欠かれている。更に同部分には前記板バネスイッチ４４を押圧するためのカム５８が上方より落し込まれるカム装着溝４５が設けられている。
【００３７】
スナップジョイント４０ａと電気的に導通している前記ランプベース４３にはハロゲンランプ、キセノンランプ、真空ランプ、ＬＥＤ等のランプ２４がその基端部が螺合により、交換可能に固定されており、ランプベース４３とランプ２４の一方の電気接点間も電気的に導通した状態にある。
【００３８】
更に接点板４６がランプ２４の他方の電気接点に接する様に前記ランプベース４３とは電気的に絶縁されたランプユニット本体３９にネジ固定されている。すなわち、スナップジョイント４０ａの一方は接点板４６に対し、電気的に導通した状態にある。前記接点板４６と前記板バネスイッチ４４は、その一端が接触可能な位置にくる様にその腕の長さが決定されている。
【００３９】
ランプ２４の光軸上には、内視鏡本体２の光入射端面２６に出射光を集光させるための集光レンズ４７が配設されている。この集光レンズ４７は、ランプ２４を外装する様にランプユニット本体３９に螺合により取り外し可能に固定される。つまり、レンズ枠４８により、集光レンズ４７はランプ２４前面位置に保持される。このレンズ枠４８は略円筒形状で、その基端外周にはランプユニット本体３９に螺合により取り付けられるネジ部が形成され、前端内周には集光レンズ４７を固定するレンズ固定枠４８ａの外周のネジ部と螺合するネジ部が設けてある。
【００４０】
レンズ枠４８のレンズ側端部（より正確にはレンズ固定枠４８ａ）は、ランプユニットベース４１よりも周方向に突出しない様に設計されている。又、レンズ側端部（より正確にはレンズ固定枠４８ａ）の内径は、ライトガイド口金１３の端部が嵌入できる寸法になっている。
【００４１】
ランプユニット本体３９及びランプユニットベース４１の外観形状は図４に示すように３ヶ所の平面部が設けられており、内部を同形状に形成したランプハウス７に対して、周方向の位置決めがされ、嵌合する様になっている。そして、ランプユニット５をランプハウス７で覆うように嵌合させた場合には、図４に示すようにランプ２４及び集光レンズ４７の光軸が接続口金１４の中心軸の方向（換言すると、内視鏡本体２の操作部１１に設けたライトガイド口金１３との接続部方向）を向くように位置決め用嵌合部を形成している。
【００４２】
バッテリユニット４は、例えば４本の乾電池を収納可能にした電池ボックス４９と電池ボックス４９内に配設され、収納した４本の乾電池を直列に導通するための図示しない導通金具と、前記導通金具と電気的に接続された一対のスナップジョイント４０ｂと、更に電池ボックス４９下面に設けた押圧バネ５０とより構成される。
【００４３】
前記ランプユニット５とバッテリユニット４は前述した一対（＋極、−極）のスナップジョイント４０ａ、４０ｂにより着脱自在に嵌着され、電気的に導通した状態になる。  
ランプハウス７には、ライトガイド口金１３に接続可能な接続口金１４が延出しており、ランプハウス７の上面凹部にはめ込まれた剛性のあるプレート５２に対し、ランプハウス７をはさみ込む様にしてネジで固定されている。
【００４４】
この接続口金１４には、図２或いは図３（Ｅ）に示す様に端部で開口し、略９０°の周方向に設けられ、ライトガイド口金１３側の固定ピン３０が係入されるカム溝５３が設けられており、このカム溝５３の終端部５３ａに隣接する位置にはこの終端部５３ａを示す指標３２ｂが設けてある。
【００４５】
また、接続口金１４のランプハウス７に嵌入されている部分は前述のプレート５２にネジで固定される上半分を除く下半分が切り欠かれており、ランプユニット５にランプハウス７を外装する際に、レンズ枠４８が接続口金１４に当たらずに、それぞれを同心上に位置させることができる。
【００４６】
更に接続口金１４にはカム溝５３の他に、図３（Ｂ）に示すように外気連通口５４が多数設けられており、ライトガイド口金１３に接続口金１４を接続した時でもライトガイド口金１３端部の一部に外気が触れる様になっている。また、外気連通口５４と同じ周上には凹溝５５が多数設けられている。
【００４７】
また、ランプハウス７には図２及び図４に示すように電源スイッチ５６が設けられている。図４に示すように電源スイッチ５６はランプハウス７の孔部に回動軸５９を通し、ランプハウス７の外部に突出する部分につまみ部６０がネジで固定されている。
【００４８】
また、回動軸５９の外周溝にＯリング５７が配置され、その周囲のランプハウス７の孔部内壁に対し水密的に回動可能となっている。更にランプハウス７の内側となる回動軸５９の端部にはカム５８が一体的に形成されていて、つまみ部６０を回動操作してカム５８を回動させることができる。なお、つまみ部６０、回動軸５９、カム５８は非導電性の部材で形成されている。
【００４９】
カム５８は、ランプユニット５にランプハウス７を外装させた時、ランプユニット本体３９のカム装着溝４５に落ち込まれ、図８に示すように板バネスイッチ４４の上面に配置される様になっている。
【００５０】
図５、図６は電源スイッチ５６のスイッチ操作部を形成するつまみ部６０に設けられたスイッチ回動規制構造を示す。図５（Ａ）は図４のＦ−Ｆ線断面を示し、図５（Ｂ）は図４のＦ′−Ｆ′線断面を示し、図５（Ｃ）は図５（Ａ）のＨ−Ｈ線断面を示し、図６（Ａ）及び（Ｂ）はつまみ部６０を回動した場合のスイッチ回動規制の動作の説明図を示す。  
図５（Ａ）に示すようにつまみ部６０の裏面には円周方向にＣリング状溝が設けれ、このＣリング状溝にはめ込む様にＣリング状の回動規制バネ６１はその（周方向の）中央位置がネジで固定されている。この回動規制バネ６１はＣリング状の板バネの端部を半円状に丸め、図５（Ｃ）に示すごとくつまみ部６０の裏面から離間するように曲げ加工が施されている。
【００５１】
また、このときの回動規制バネ６１のＣリング形状は略２７０°の角度で板バネをカットして形成している。図５（Ａ）及び図５（Ｃ）に示す様なバネ形状にすることにより電源スイッチ５６をランプハウス７に取付ける際、電源スイッチ５６がある程度軽い力量で回動する様につまみ部６０とランプハウス７間には多少の隙間を設けるが、回動規制バネ６１の曲げ加工による弾性によりそのガタは吸収され、滑らかに回動する様になる。この回動規制バネ６１は導電性を有しない部材で形成しても良い。
【００５２】
更に、つまみ部６０が回動するランプハウス７上の摺動面には、回動規制バネ６１の端部、つまりバネ端部６１ａの半円形状より若干大きい曲率の円形凹部６２が、前記回動規制バネ６１と中心軸を共通とする同じ半径上（回動規制バネ６１の半径と同じ位置）に１つ形成されている（図５（Ｂ）参照）。
【００５３】
従って、つまみ部６０を回動させた時、ランプハウス７上の摺動面を押圧しているバネ端部６１ａが円形凹部６２に落ち込むと、クリック感が生まれると共に同方向の回動は規制される。
【００５４】
次に逆方向に電源スイッチ５６のつまみ部６０を回すと、円形凹部６２に落ち込んでいたバネ端部６１ａは前記円形凹部６２から元の位置にのり上げ回動が始まる。回動を続けると、他方のバネ端部６１ａが前記円形凹部６２に落ち込み、前述と同じ作用をもたらす。この時の回動範囲は略９０°に規制される。
【００５５】
この様子を図６（Ａ）及び図６（Ｂ）に示す。図６（Ａ）は回動規制バネ６１が円形凹部６２に落ち込まない状態を示し、この状態からつまみ部６０を回動することにより図６（Ｂ）に示すように回動規制バネ６１が円形凹部６２に落ち込む状態になる。
【００５６】
ランプハウス７は、その下端の開口部の内周面にバッテリケース８の上端のネジ部８ａと螺合するためのネジ部が形成されており、ネジ部から天井方向にかけての内部形状は前述した様にランプユニット５と嵌合する平面部をもつ異形形状を成している。
【００５７】
また、ランプハウス７の外観は、バッテリケース８と同様に略円柱状である。  バッテリケース８は内部にバッテリユニット４を収納するための底のついた筒状の胴体と、その上端側の開口部には、ランプハウス７と螺合するネジ部８ａ及びランプハウス７とバッテリケース８の螺合部をシールするＯリング等のシール部８ｂから成る。  
バッテリケース８内部は、バッテリケース８内でバッテリユニット４が自由に回転できる程度の広さを持っている。
【００５８】
前述の様に、本実施の形態では外装カバー９を構成するランプハウス７およびバッテリケース８により内部ユニット６全体を覆うことが出来る構造にしていることが主要な特徴となっている。又、この外装カバー９は、各種薬液、エチレンオキサイドガス、オートクレーブなどの各種消毒、滅菌手段に充分耐え得る材質から成る。
【００５９】
次に本実施の形態の作用を説明する。  
本実施の形態の内視鏡１を用いて検査を行う場合、まず電池ボックス４９に乾電池を装填した後、バッテリユニット４をランプユニット５にスナップジョイント４０ａ、４０ｂを介して装着する。この操作で、ランプユニット５内の、ランプを点灯／消灯を行う板バネスイッチ４４及び接点板４６まで両極の電気的導通が完了する。
【００６０】
つづいて、上記内部ユニット６を外装カバー９内に収納する。この時、まずランプユニット５がランプハウス７に対して一義的に位置決めされ嵌入される。すなわち、ランプユニットに設けられているランプ２４の光軸方向とランプハウス７の接続口金１４、ランプユニット５のカム装着溝４５とランプハウス７のカム５８がそれぞれ位置決めされた後、ランプハウス７をバッテリケース８に対し螺合し始める。
【００６１】
内部ユニット６がランプハウス７に嵌入された状態でランプハウス７がバッテリケースに螺合するため、バッテリケース８内部ではバッテリユニット４がバッテリケース８に対して回転することになるが、バッテリユニット４下部に設けられた押圧バネ５０の凸部がバッテリケース８の底部の中心に点で接触するためにこの部分で大きな抵抗は発生しない。
【００６２】
また、螺合が完了した時、この押圧バネ５０の付勢力により、内部ユニット６は外装カバー９の天井部分に常に接した状態に保たれるので内部ユニット６が外装カバー９に対してガタつくことがなく、また、ランプハウス７の天井及びランプユニット５の上面を基準面にすることができるためランプ２４と接続口金１４の上下方向の位置ずれを最小限におさえた設計が可能となる。
【００６３】
次に、バッテリ型光源３を内視鏡本体２のライトガイド口金１３に接続する。バッテリ型光源３の接続口金１４のカム溝５３の開口部をライトガイド口金１３の固定ピン３０に位置させ、押し込んで、固定ピン３０がカム溝５３の終端部５３ａにくるまで回動させると接続口金１４がライトガイドロット２７と防熱カバー３１のすき間に嵌挿されると共に、ライトガイド口金１３内の弾性バネ３３の付勢力により接続口金１４は内視鏡本体２（或いは操作部１１）より遠ざかる方向へ付勢され、固定ピン３０はカム溝５３の終端部５３ａに確実にロックされ、バッテリ型光源３が内視鏡本体２にガタつくことなく装着される。この状態を図７に示す。
【００６４】
また、この時、前記ライトガイド口金１３の端部がランプユニット５のレンズ枠４８に嵌入されるためバッテリ型光源３の内部ユニット６と外装カバー９間に多少のガタつきがありランプユニット５の光軸と接続口金１４の中心軸が多少ずれていても、ライトガイド口金１３が接続口金１４内に差し込まれる際に補正され、集光レンズ４７で集光された光を内視鏡本体２側のライトガイドファイバ２５の光入射端面２６に確実に集光させることができる。
【００６５】
次に電源スイッチ５６をＯＮ側及びＯＦＦ側に回動し、カム５８を規定の角度内で回転させる。カム５８の形状は図８に示す通りで、つまみ部６０がＯＦＦを示す位置にある時は板バネスイッチ４４は弾性変形前の状態、つまみ部６０をＯＮ位置にした時はカム５８が板バネスイッチ４４を押圧して板バネスイッチ端が接点板４６に接触する。つまみ部６０はＯＮ／ＯＦＦそれぞれの位置でクリック固定されるためカム５８も同様に板バネスイッチ４４を押圧前、後の状態が保持される。
【００６６】
板バネスイッチ４４が接点板４６に接触すると、ランプ２４に電流が供給されランプ２４が点灯し、集光レンズ４７により集光された光が内視鏡本体２の光入射端面２６からライトガイドファイバ２５を経由して光出射端面から（或いはさらに照明レンズを経て）前方に出射され、患部等の被写体を照明する。
【００６７】
ランプ点灯時、ランプ２４から発生する熱は、接続口金１４及びライトガイドロッド２７に伝わる。大気との接触面積を広くするために、接続口金１４に設けた多数の外気連通口５４及び凹溝５５によりライトガイドロッド２７端部近傍に伝わる熱は大気に効率良く放出される。
【００６８】
さらにライトガイド口金１３部分において、術者が内視鏡本体２を保持する際に触れる部分はライトガイドロッド２７を防熱カバー３１で覆い、かつライトガイドロッド２７と防熱カバー３１間に設けられた空気層により断熱効果を増して熱傷等を防止できる。又、前記空気層を形成している空間はスリット３７及び溝３８により大気と連通しているため、その部分に熱がこもることもない。
【００６９】
内視鏡１による観察が終了したら、電源スイッチ５６をＯＦＦにし、ランプ２４を消灯させるとともに、バッテリ型光源３を内視鏡本体２側に押し込み固定ピン３０のロックを解除し、固定ピン３０がカム溝５３に沿うようにバッテリ型光源３を回転させ内視鏡本体２から取り外す。
【００７０】
続いて、バッテリ型光源３を各種方法で消毒、滅菌する場合は、内部ユニット６を取り出し、外装カバー９のみを各種薬液、エチレンオキサイドガス、オートクレーブ等により消毒、滅菌を行う。  
内部ユニット６はその全体が外装カバー９で覆われているので汚染されず、消毒、滅菌の必要性は無い。
【００７１】
内視鏡本体２は水密構造のための各種薬液に浸漬可能である。又、エチレンオキサイドガスによる滅菌を行う場合は通気口金５１に図示しない大気連通口金を接続して行う。
【００７２】
本実施の形態は以下の効果を有する。  
ランプ２４から発生する熱を効率よく大気に放出でき、かつ術者に触れる可能性のある発熱部は防熱構造を取っているため、発熱量の多い高輝度のランプも問題無く使用可能である。
【００７３】
内視鏡本体２とバッテリ型光源３との接続を固定ピン３０及びカム溝５３（バヨネット式）としたことで、迅速かつ確実な着脱が可能となり、例えば術中にランプ切れ、電池切れ等が生じても予備のバッテリ型光源３に容易かつ確実に交換できる。
【００７４】
導電部、電気接点、ランプ２４及び乾電池を含む内部ユニット６全体を外装カバー９で覆う構造とし、汚染される外装カバー９のみを消毒、滅菌することにより、従来製品にあった問題点“薬液浸付漬時、液体が内部に侵入することによる機能障害”（たとえば、乾電池に薬液が侵入した場合は漏電、液漏れ、ガスの発生等電気接点部に薬液侵入した時は漏電あるいは接点の腐食、薄膜の形成等による電気的接点不良）の発生因子を全て排除することができる。
【００７５】
また、外装カバー９のスイッチ部は内部ユニット６に設けられた板バネスイッチを押圧する役目のみをはたし、電気的な導通部を持たないので消毒滅菌によって、カム５８の表面の状態が変質しても機能に何ら影響をおよぼさない。
【００７６】
よって、機能障害を引き起こすことなく確実に汚染部分のみを消毒、滅菌することができる。  
尚、本実施の形態は前記実施の形態に限るものではなく、種々変形可能である。
【００７７】
例えば、電源スイッチ５６の代わりに図９に示すような市販のプッシュスイッチ６３を用いても良い。この場合、内部ユニット６に前記プッシュスイッチ６３と、プッシュスイッチ６３のＯＮ／ＯＦＦを示すためのＬＥＤ６４を設け、外装カバー９には前記プッシュスイッチ６３を押すスイッチ操作部として弾性を有する弾性カバー部材、具体的にはゴムカバー６５と、さらにＬＥＤ６４を確認するための透明体による窓６６を設ける。
【００７８】
又、図１０に示すような市販のシーソースイッチ６７を用いてもよい。この場合、内部ユニット６に前記シーソースイッチ６７を設け、外装カバー９には前記シーソースイッチ６７を押すためのゴムカバー６８を設ける。  
これらの構造でも、外装カバー９が電気的な導電部を持たないため、漏電、接点の腐食等の心配がない。
【００７９】
（第２の実施の形態）
次に、本発明の第２の実施の形態を説明する。  
図１１ないし図１３は本発明の第２の実施の形態に係り、図１１は本実施の形態におけるバッテリ光源の斜視図、図１２はバッテリ光源の構造を示す断面図、図１３は本実施の形態の内視鏡と、この内視鏡が掛けられ（或いは保持され）、充電手段を備えた内視鏡ハンガを示す。
【００８０】
第１の実施の形態では外装カバー９は内部ユニット６全体を覆っていたが、本実施の形態では外装カバー１０２の下部（底部）に内部ユニット１０３を装着脱するための開口部を設け、内部ユニット１０３の底部が外装カバー１０２から露出する構造になっている。  
図１２に示すようにバッテリ光源１０１は、大きく分けて外装カバー１０２と内部ユニット１０３によって構成されている。
【００８１】
前記外装カバー１０２は、内部に複数、具体的には２つのランプ１０４ａ、１０４ｂを内蔵した外装カバー本体１０５と、この外装カバー本体１０５の上方に螺着される上カバー１０６と、前記外装カバー本体１０５の下方に螺着される下カバー１０７と、前記上カバー１０６に回転可能な状態で取り付けられたスイッチ１０８とによって構成されている。
【００８２】
前記外装カバー本体１０５は下端より少し上部側の位置で円板（便宜的に底板と記す）で閉塞された円筒形状で、内部に２つのランプ１０４ａ、１０４ｂを内蔵している。また、この外装カバー本体１０５の上端にはネジ部が形成され、円筒の蓋形状の上カバー１０６が螺合により取り付けられる。この上カバー１０６の上面に接するようにスイッチ１０８が取り付けられる。また、外装カバー本体１０５の下端のネジ部には底面が開口した円筒形状の下カバー１０７が螺合により取り付けられて外装カバー１０２を形成している。
【００８３】
前記外装カバー本体１０５と上カバー１０６はＯリング１０９により、前記外装カバー本体１０５と下カバー１０７はＯリング１１０により、前記上カバー１０６とスイッチ１０８はＯリング１１１により水密構造で接続されている。
【００８４】
前記スイッチ１０８はその中央位置で下方に突出する円柱形状の回転軸部１１２が設けられ、この回転軸部１１２の下端には、導電部材からなる円柱形状の回転軸体１１３が前記外装カバー本体１０５内部で同軸的に固定されている。この回転軸体１１３の下端は外装カバー本体１０５の底板の中央位置に設けた凹部にはめ込まれてスイッチ１０８の回動操作と共に回転する。
【００８５】
さらにこの回転軸体１１３には下端付近の位置に非導電部材からなり、中心に孔を設けた円板形状の回転ベース１１４が同じく同軸的に固定され、回転軸体１１３と共に回転する。
【００８６】
前記ランプ１０４ａ、１０４ｂの第１接点である後端部１１５は、前記回転軸体１１３と常に接触しており、第１の板バネ１１６を介して第１の接点ピン１１７と電気的に接続されている。前記第１の板バネ１１６は前記外装カバー本体１０５に一部が固定されており、固定されてない一部がそれ自身の付勢力によって常に前記回転軸体１１３に接触するような状態となっている。前記第１の接点ピン１１７は絶縁性の底板を貫通して底板の下面、つまり内部ユニット１０３の収納部の内面に突出部が露出している。
【００８７】
尚、前記第１の接点ピン１１７は前記外装カバー本体１０５に接着により水密的に固定されており、その突出部は液体が付着しても拭き取りやすいようにシンプルな形状となっている。また、消毒、滅菌するための薬液に対する耐性のあるステンレススチール等の金属で形成されていたり、銅等の金属の表面に金等の耐性のある金属でメッキ等が施されたもので形成されている。
【００８８】
前記回転ベース１１４には前記ランプ１０４ａ、１０４ｂを把持し、固定するためのランプ固定部材１１８ａ、１１８ｂが配設され、２つのランプ１０４ａ、１０４ｂは回転軸体１１３を１８０°回転した位置に保持されている。
【００８９】
尚、このランプ固定部材１１８ａ、１１８ｂは導電部材からなり、それぞれランプ１０４ａ，１０４ｂの第２の接点であるボディ部１１９との電気的な接続も兼ねている。
【００９０】
前記ランプ固定部材１１８ａ、１１８ｂは、前記スイッチ１０８を回転し、スイッチＯＮの状態になった場合にのみ第２の板バネ１２０と接触する。前記第２の板バネ１２０は前記外装カバー本体１０５に一部が固定されており、第２の接点ピン１２１と電気的に接続されている。この第２の接点ピン１２１も絶縁性の底板を貫通して底板の下面、つまり内部ユニット１０３の収納部の内面に突出部が露出している。
【００９１】
尚、前記第２の接点ピン１２１は前記外装カバー本体１０５に接着により水密的に固定されており、その突出部は液体が付着しても拭き取りやすいようにシンプルな形状となっている。また、消毒、滅菌するための薬液に対する耐性のあるステンレススチール等の金属で形成されていたり、アルミニュウム、銅等の金属の表面に金等の耐性のある金属でメッキ等が施されたもので形成されている。
【００９２】
尚、前記外装カバー本体１０５内部に配置された２つのランプ１０４ａ、１０４ｂは、図１１に示すようにスイッチを「ＯＮ（ａ）」に合わせた時は一方のランプ１０４ａが点灯し、「ＯＮ（ｂ）」に合わせた時は他方のランプ１０４ｂが点灯し、「ＯＦＦ」に合わせた場合はランプが点灯しない構成となっている。
【００９３】
その際、点灯しているランプは図示しないクリック機構により集光レンズ１２２に対向した状態で位置決めされる。この集光レンズ１２２と、内視鏡本体１００（図１３参照）の操作部１１に設けたライトガイド口金１３４と着脱自在に接続される接続口金１２３と、前記外装カバー本体１０５は、接着により水密的に固定されている。従って、外装カバー本体１０５内部は完全に水密構造となっている。
【００９４】
この外装カバー本体１０５の下端のネジ部に下カバー１０７を接続することにより、この外装カバー本体１０５の底板の下側の部分と下カバー１０７の内側部分で内部ユニット１０３が着脱自在で収納される内部ユニット収納部が形成される。
【００９５】
次に、内部ユニット１０３の説明に入る。
【００９６】
この内部ユニット１０３は略円柱形状で、その下端側には下カバー１０７と略同じ内径の接続用筒部が一体的に形成され、この接続用筒部における対向する２ヶ所に爪１２４が設けられており、前記下カバー１０７における下端付近の対向する２ヶ所の内面（或いは内周面全体）に設けられた係合溝１２５と係合し、これによって前記外装カバー１０２と内部ユニット１０３を接続する。前記爪１２４は例えば、樹脂成形より形成され、爪１２４の基端側の位置の押し込み部１２６を押し込むことによって爪１２４を内側にたわませて前記係合溝１２５から外れる状態に設定できるようにしている。
【００９７】
この内部ユニット１０３には充電式バッテリ１２７が絶縁性の樹脂などでモールドするなどして内蔵されており、上面にはこの充電式バッテリ１２７から点灯されるランプに電流を供給するための弾性を有する導電性部材（例えばリン青銅）からなる第１のバネ接点１２８と第２のバネ接点１２９が設けられている。
【００９８】
前記第１のバネ接点１２８、第２のバネ接点１２９は、図示しない回路によって前記充電式バッテリ１２７の接点と通電しており、前記外装カバー１０２と前記内部ユニット１０３が接続された状態のときに外装カバー本体１０５の第１の接点ピン１１７、第２の接点ピン１２１と付勢する状態で接触する。
【００９９】
さらに、前記内部ユニット１０３には、その下面に図示しない回路により前記充電式バッテリ１２７の接点と通電している充電用接点１３０ａ、１３０ｂが設けられている。充電用接点１３０ａ、１３０ｂは磁石に吸い寄せられる強磁性体材料で形成されている。
【０１００】
そして、このバッテリ光源１０１部分を図１３に示す内視鏡ハンガ１３１に掛けた時に、この内視鏡ハンガ１３１に設けた充電装置によって充電式バッテリ１２７を充電できるようにしている。
【０１０１】
この内視鏡ハンガ１３１は支柱と、この支柱の任意の高さ位置に固定できるアームと、このアームに取り付けたバッテリ光源ホルダ１３８と、このバッテリ光源ホルダ１３８の底部付近に内蔵した図示しない充電回路とを有し、この充電回路はアーム、支柱内部などを通したコードと接続され、支柱の下部から延出されたコードの端部に設けたプラグ１３９を商用の交流電源のコンセントに接続することによって充電回路を動作状態に設定できるようにしている。
【０１０２】
つまり、この内視鏡ハンガ１３１は内視鏡本体１００と、この内視鏡本体１００に着脱自在で接続されるバッテリ光源１０１とからなる内視鏡９９を保持する場合、内視鏡９９の操作部を形成するバッテリ光源１０１部分をバッテリ光源ホルダ１３８で保持するようにしている。
【０１０３】
そして、この内視鏡９９を内視鏡ハンガ１３１に掛けた時に、充電用接点１３０ａ、１３０ｂはバッテリ光源ホルダ１３８の底部内面に設けられた（充電用接点としての磁石を用いた）磁力接点１３２ａ、１３２ｂと磁力により確実に接触し、図示しない充電回路から充電式バッテリ１２７に対し、充電に必要な所定の電圧の直流電圧を供給できるようにしている。また、このバッテリ光源ホルダ１３８には、バッテリ充電中、充電完了を知らせるためのＬＥＤ１３３ａ、１３３ｂが設けられている。
【０１０４】
尚、図１３に示すように、内視鏡本体１００のライトガイド口金１３４には防熱カバー１３５が着脱自在に取り付けられるようにしている。また、内視鏡本体１００におけるその他の構成は第１の実施の形態と同様であり、挿入部１０、操作部１１、接眼部１２等を同じ符号で示した。
【０１０５】
次に本実施の形態の作用を説明する。  
本実施の形態に示す内視鏡を用いて検査を行う場合、まず充電式バッテリ１２７が充電された状態の内部ユニット１０３を、外装カバー１０２に下方から差し込む。これによって、内部ユニット１０３の爪１２４と下カバー１０７の係合溝１２５が係合し、内部ユニット１０３と外装カバー１０２は接続状態となる。
【０１０６】
この時、第１のバネ接点１２８と第２のバネ接点１２９は、第１の接点ピン１１７と第２の接点ピン１２１に付勢された状態で接触している。これにより、第１のバネ接点１２８は、第１の接点ピン１１７、第１の板バネ１１６、回転軸体１１３を介してランプの後端部と電気的に接続している状態となり、また、第２のバネ接点１２９は第２の接点ピン１２１を介して第２の板バネ１２０と電気的に接続している状態となる。
【０１０７】
次に、バッテリ光源１０１を内視鏡本体１００のライトガイド口金１３４に接続する。  
次に、スイッチ１０８を回転させ、ランプのＯＮ／ＯＦＦ操作を行う。スイッチ１０８を「ＯＮ（ａ）」に合わせると、ランプ１０４ａのボディ部１１９を把持しているランプ固定部材１１８ａが第２の板バネ１２０と接触し、ランプ１０４ａに電流が流れて点灯する。また、図示しないクリック機構によりランプ１０４ａは集光レンズ１２２に対向した状態で位置決めされる。また、「ＯＮ（ｂ）」に合わせると、同様の経路によってランプ１０４ｂが点灯する。さらに「ＯＦＦ」に合わせたの場合は、第２の板バネ１２０とランプ固定部材１１８ａ、１１８ｂとの間が開放状態となり、ランプに電流が流れなくなる。
【０１０８】
ランプ点灯時、ランプから発生する熱によって接続口金１２３及びライトガイド口金１３４の温度が上昇するが、着脱式の防熱カバー１３５によって操作部１１を把持している手が前記接続口金１２３及びライトガイド口金１３４に接触するのを防ぐ。
【０１０９】
内視鏡検査終了後、スイッチ１０８を「ＯＦＦ」にしてランプを消灯させる。その後、内部ユニット１０３に設けられた押し込み部１２６を押し込んで爪１２４を内側にたわませ、下カバー１０７に設けられた係合溝１２５から爪１２４を外す。この時、内部ユニット１０３に設けられた第１、第２のバネ接点１２８、１２９の弾性力が開放されるため、容易に内部ユニット１０３を外装カバー１０２から外すことができる。
【０１１０】
続いて、内視鏡本体１００及びバッテリ光源１０１の外装カバー１０２のみを消毒液浸漬、エチレンオキサイドガス等によって消毒、滅菌する。尚、防熱カバー１３５もライトガイド口金１３４から取り外し、消毒、滅菌する。  
内部ユニット１０３は症例中触れることの無い底面以外は外装カバー１０２によってすべて覆われているので、消毒、滅菌の必要はない。
【０１１１】
消毒液浸漬後、前記外装カバー本体１０５から下カバー１０７を取り外し、外装カバー１０２に付着している液体を拭き取る。尚、接点ピン１１７、１２１はシンプルな形状のため、この部分に付着した液体も容易に拭き取れる。  
消毒、滅菌終了後、再度バッテリ光源１０１を組み立て、スイッチ１０８が「ＯＦＦ」になっていることを確認してから内視鏡本体１００に取り付ける。
【０１１２】
この状態で内視鏡ハンガ１３１に掛けると、バッテリ光源１０１に設けられた充電用接点１３０ａ、１３０ｂと、内視鏡ハンガ１３１（のバッテリ光源ホルダ１３８）に設けられた磁力接点１３２ａ、１３２ｂが磁力によって確実に接触し、内部ユニット１０３内の充電式バッテリ１２７が、自動的に充電される。尚、バッテリ充電中、充電完了の表示はＬＥＤ１３３ａ、１３３ｂによって行われる。
【０１１３】
本実施の形態は以下の効果を有する。  
内部ユニット１０３を外装カバー１０２で覆う構造とし、汚染される外装カバー１０２のみを消毒、滅菌することにより、従来製品にあった問題点“薬液浸漬時、液体が内部に侵入することによる機能障害”の発生因子を全て排除することができる。また、バッテリ光源１０１外表面を確実に消毒、滅菌できる。
【０１１４】
また、外装カバー１０２の下部に内部ユニット１０３を装着脱するための開口部が設けられているため、内部ユニット１０３の装着脱が容易である。したがって、バッテリ光源１０１を消毒液などに浸漬する前に内部ユニット１０３を取り外す作業が非常に容易である。
【０１１５】
本実施の形態ではランプを複数個内蔵しているため、ランプが切れてもスイッチ１０８を回転するだけで簡単に予備のランプを点灯することができる。したがって、ランプ切れによる検査の中断がない。また、あらかじめ明るさの異なるランプを収納しておくことにより、内視鏡の使用用途や、組み合わせて使用する内視鏡の仕様によって光量を調節できる。これにより消費電力を節約でき、電池の寿命を延ばすことも可能となる。
【０１１６】
バッテリ光源１０１外部に充電用接点を設け、専用の内視鏡ハンガ１３１を使用することにより、内視鏡ハンガ１３１にバッテリ光源式の内視鏡を掛けておくだけで使用開始時には常に充電された状態となっている。したがって、バッテリの充電状態に気を使う必要が無くなる。
【０１１７】
尚、本実施の形態はこの実施の形態の構造に限るものではなく、種々変形可能である。例えば、図１４に示すようなバッテリ光源１０１′にしても良い。このバッテリ光源１０１′は外装カバー１０２′が外装カバー本体１０５と、この外装カバー本体１０５の上方に螺着されている上カバー１０６と、この外装カバー本体１０５の下方に螺着されている下カバー１０７と、前記上カバー１０６に回転可能な状態で取り付けられたスイッチ１０８′とによって構成されている。また、外装カバー１０２′の底部の開口部から内部ユニット１０３（図１４では見えない）を装着できる。
【０１１８】
この第１の変形例では内部ユニット１０３の底面に充電用接点１３０ａ，１３０ｂを設けないで、代わりに外装カバー本体１０５の外表面には充電用接点１３６ａ、１３６ｂが設けられている。また、スイッチ１０８′には「充電」モードが設けられている。そして、前記充電用接点１３６ａ、１３６ｂは通常時には充電用バッテリの接点と電気的に接続されていないが、スイッチ１０８′を「充電」に合わせると図示しない機構により充電式バッテリの接点と電気的に接続される構造にしても良い。
【０１１９】
その他は第２の実施の形態のバッテリ光源１０１と同様の構成である。この第１の変形例は第２の実施の形態のバッテリ光源１０１と殆ど同様の作用及び効果を有する。
【０１２０】
また、図１５に示す第２の変形例のように、内部ユニット１４８が外装カバー１４７に対して上下どちらの方向にも取り付けられるような構造をとり、その取り付け方向によって通常使用状態（照明ランプ点灯待機状態）と充電状態（充電待機状態）を分けるように構成してもよい。
【０１２１】
このバッテリ光源１４５は図１２のバッテリ光源１０１において、下カバー１０７の代わりに少し構造が異なる下カバー１４６を用いて外装カバー１４７が形成されている。この下カバー１４６は底部が開口し、この開口から内部ユニット１４８が挿脱自在である。
【０１２２】
この内部ユニット１４８は図１２の内部ユニット１０３と同様に充電式バッテリ１２７を内蔵し、その一対の電極は上端面に設けた弾性を有する導電性部材からなる一対のバネ接点１５０ａ，１５０ｂとそれぞれ導通している。バネ接点１５０ａ，１５０ｂは強磁性体材料を用いて形成されている。
【０１２３】
また、内部ユニット１４８の底面には取り外しの際の付勢用に使用されるバネ１５２が設けてある。さらに、内部ユニット１４８の側面にはそれぞれバネによって外側に突出するように付勢された一対の凸片１５３ａ，１５３ｂが設けられており、一方下カバー１４６における対応する位置にはそれぞれ孔が設けてあり、弾性を有するカバー１５４ａ，１５４ｂで覆われている。
【０１２４】
この場合、通常使用時は、図１５（Ａ）に示すように外装カバー１４７における下カバー１４６の底部の開口から内部ユニット１４８をバネ接点１５０ａ，１５０ｂが内部に収納される方向に取り付ける。この時、バネ接点１５０ａ、１５０ｂは外装カバー１４７側に設けられた接点ピン１２１、１１７とそれぞれ接触している。
【０１２５】
更に、スイッチ１０８をＯＮの位置に設定すると、ランプ１０４ａが点灯する。この状態からスイッチ１０８をＯＦＦの位置に回動すると、ランプ１０４ａには電流が遮断されたＯＦＦ状態となる。つまり、照明ランプ点灯待機状態となる。
【０１２６】
一方、充電時は、図１５（Ｂ）に示すように外装カバー１４７に内部ユニット１４８を通常と逆さまの状態で取り付ける。この時、バネ接点１５０ａ、１５０ｂはバッテリ光源の底面から突出した状態となり、図１３に示す内視鏡ハンガ１３１に設けられた充電用接点としての磁力接点１３２ａ，１３２ｂと接触可能な状態となる。その他の構成は図１２と同様であり、同じ構成部材には同じ符号を付け、その説明を省略する。
【０１２７】
尚、内部ユニット１４８には電気接点を兼ねないバネ１５２が設けられているため、押し込み部となるカバー１５４ａ、１５４ｂを押し込むことにより通常とは逆さまに取り付けられている内部ユニット１４８もバネ１５２の弾性力によって容易に取り外すことができる。
【０１２８】
第１、第２の変形例のどちらにしても、ごく簡単な設定後、バッテリ光源式の内視鏡を内視鏡ハンガ１３１に掛けるだけで自動的に充電することができ、バッテリの充電状態に気を使う必要が無くなる。
【０１２９】
また、これらの手段を用いれば、内部ユニット１４８に設ける電流供給用の電気接点と充電用の電気接点を共通化することができる。その他は第２の実施の形態と同様の効果を有する。
【０１３０】
（第３の実施の形態）
図１６は本発明の第３の実施の形態を示す。  
本実施の形態の内視鏡本体２０１は、その操作部２０２内部にランプ２０５が配設されている。ランプ２０５はランプホルダ２０６に通電可能に嵌合しており更に前記ランプホルダ２０６は前記操作部２０２に対して水密的に着脱可能となっている。
【０１３１】
ランプ２０５の光軸上には、集光レンズ２０７が操作部２０２内のレンズ枠２０８に固定され、更に前記集光レンズ２０７の焦点位置に光入射端面２０４が配設される様、ライトガイドファイバ２０３が前記レンズ枠２０８の一部に固定されている。
【０１３２】
操作部２０２の側面には、＋、−両極の電気接点部２１８をもつ、電源ユニット接続部２１１ａが設けられ、両極の電流路は、接眼部２０９の周囲に配置した環状のランプ電源スイッチ２１０を経由して前記ランプホルダ２０６及びランプ２０５につづいている。この電流路はランプ電源スイッチ２１０の回動操作により導通又は遮断される（電流路は図示せず）。内視鏡本体２０１はその他の構造は図１の内視鏡本体２と基本的には同様の構造である。
【０１３３】
一方、電源ユニット２１２は、乾電池２１５と乾電池２１５が収納される電池ボックス２１６から成るバッテリユニット２１３と、前記バッテリユニット２１３を着脱自在に外装する外装カバー２１４とから構成される。
【０１３４】
前記電池ボックス２１６には収納した複数の乾電池２１５を直列につなぐとともに外装カバー２１４に設けた電源ユニット接続部２１１ｂの接点ピン２１７と前記乾電池２１５を電気的に導通する電気的導通路を持つ。
【０１３５】
前記接点ピン２１７は弾性的に、突設されており、電源ユニット接続部２１１ａ、２１１ｂを介して電源ユニット２１２を操作部２０２に接続したとき、接点ピン２１７が確実に電気接点部２１８に接触する。
【０１３６】
又、外装カバー２１４は各種薬液、エチレンオキサイドガス、オートクレーブ等の各種消毒、滅菌手段に充分耐え得る材質から成る。
【０１３７】
次に本実施の形態の作用を説明する。  
バッテリユニット２１３を、外装カバー２１４に収納する。次に電源ユニット２１２の電源ユニット接続部２１１ｂを操作部２０２側の電源ユニット接続部２１１ａにスライド嵌合させる。
【０１３８】
つづいてランプホルダ２０６にランプ２０５を取り付け、操作部に２０２設けたランプ取付部にランプホルダ２０６を装着する。
【０１３９】
ランプ電源スイッチ２１０を回動させＯＮとなる状態まで回すと電源ユニット２１２からの電流は電源ユニット接続部２１１ａ、２１１ｂを介してランプ２０５に供給されランプ２０５が点灯する。ランプ２０５からの出射光は集光レンズ２０７により光入射端面２０４に集光し、ライトガイドファイバ２０３を経由して、光出射端面から前方に出射され患部等を照明する。
【０１４０】
内視鏡による観察が終了すると、ランプ電源スイッチ２１０をＯＦＦの位置に回動させランプ２０５を消灯した後、電源ユニット２１２を操作部２０２から取り外す。続いて電源ユニット２１２を消毒、滅菌する場合は、バッテリユニット２１３を外装カバー２１４から取り出し、汚染された外装カバー２１４のみ各種薬液、エチレンオキサイドガス、オーククレーブ等により消毒、滅菌を行う。
【０１４１】
内視鏡本体２０１は、操作部２０２にランプホルダ２０６が装着された状態では水密構造となるため各種薬液に浸漬可能である。  
又、エチレンオキサイドガスによる滅菌を行う場合はランプホルダ２０６を操作部２０２から取り外し、操作部２０２内と大気を連通させた状態にして行う。  本実施の形態は以下の効果を有する。  
１．乾電池２１５を含むバッテリユニット２１３全体を外装カバー２１４で覆う構造とし、汚染される外装カバー２１４のみを消毒、滅菌することにより、従来製品の最も大きな問題点“薬液浸漬時液体が内部に侵入し、乾電池からの液漏れ、漏電、ガスの発生”の発生因子を全て排除することが出来る。
【０１４２】
２．内視鏡本体２０１に対して装着される外付け部分はランプ部及びスイッチ部を含まない、いわゆる電源部のみとなるため第１の実施の形態の内視鏡にくらべ全体的にコンパクトにすることができる。
【０１４３】
（第４の実施の形態）
図１７は本発明の第４の実施の形態の内視鏡２５０を示す。  
本実施の形態における内視鏡本体２５１は吸引口金２１の向きが把持部２５２の方向を向く様に吸引ボタン２０が操作部２５３に取り付く様になっている。更に、把持部２５２下方の鉗子挿入口２２に並ぶ様に吸引ビン２５４が図示しない係合手段により内視鏡本体２５１に係合している。
【０１４４】
前記吸引ビン２５４は透明なプラスチック等から成る液体収納部２５５とこれに水密的に圧入される栓体２５６から成り、栓体２５６には、一端が液体収納部２５５に開口している吸液管２５７及び吸気管２５８が設けられている。栓体２５６から延出している吸液管２５７の端部は吸引口金２１に水密的に圧入して接続され、吸気管２５８の端部は操作部２５３の側面に接続される電源ポンプユニット２５９の吸引ポンプ部２６０に設けられた吸気口金２６１に圧入して固定される。
【０１４５】
前記電源ポンプユニット２５９は、第３の実施の形態で示した電源ユニット２１２と同じ構成の電源ユニット２６２と、この電源ユニット２６２に着脱自在で、装着した状態では、この電源ユニット２６２内の電源と電気的接続状態になる吸引ポンプ部２６０から構成される。つまり、この電源ユニット２６２内の電源はランプの電源と共に、ポンプの電源ともなっている。
【０１４６】
前記電源ポンプユニット２５９と、内視鏡本体２５１の機械的及び電気的接続は第３の実施の形態と同構造の電源ユニット接続部２１１ａ、２１１ｂにより行われる。
【０１４７】
前記吸引ポンプ部２６０はその内部に図示しない小型の電動式吸引ポンプが備えられており、このポンプの吸気側が吸気口金２６１、吐出側が排気口金２６３につながっている。また、前記ポンプと電源ユニット２６２の導電路をＯＮ／ＯＦＦするためのポンプスイッチ２６４が吸引ポンプ部２６０に水密的に設けられる。
【０１４８】
更に、この吸引ポンプ部２６０本体は前記吸気口金２６１、排気口金２６３を水密栓２６５により水密的にふさぐことによって、全体が水密状態になる。ここで、本実施の形態において、吸引ポンプ部２６０は電源ユニット２６２に接続、固定しているが、これに限定されず、内視鏡本体２５１に対し、操作者のじゃまにならない箇所を選んで適宜取り付けられている様にしてもよい。その際、電源ユニット２６２と吸引ポンプ部２６０間の電気的接続は図示しない通電ケーブルにより接続される。
【０１４９】
他の構成は第３の実施の形態と同じ構成である。  
次に本実施の形態の作用を説明する。  
内視鏡２５０による観察において、例えば気管や気管支に溜まった痰を吸引することがしばしば行われる。
【０１５０】
本内視鏡２５０を用いて喀痰吸引を行う場合、内視鏡本体２５１に吸引ビン２５４を取り付け更に、電源ユニット２６２に吸引ポンプ部２６０を装着するともに吸引ビン２５４の吸液管２５７、吸気管２５８をそれぞれ吸引口金２１、吸気口金２６１に接続する。
【０１５１】
つづいて、ポンプスイッチ２６４をＯＮの状態にし吸引ポンプを始動させ、吸引ビン２５４の内部が負圧になりさらに上流の通気路に吸引力が働く。つづいて吸引ボタン２０を操作すると通気路は内視鏡本体２５１の挿入部先端で開口している吸引チャンネルに連通し、痰が吸引される。
【０１５２】
吸引された痰は、吸引ビン２５４の液体収納部２５５に流入すると、前記液体収納部２５５の底部に溜まるため、吸気管２５８には流れ込まない。  
観察終了時、吸引ビン２５４は内視鏡本体２５１から取り外し、処理される。吸引ポンプ部２６０は、水密栓２６５を取り付けることで水密になり、薬液浸漬が行える。  
その他は第３の実施の形態と同じである。
【０１５３】
本実施の形態は以下の効果を有する。  
吸引ビン２５４、吸引ポンプを内視鏡本体２５１と一体的に設け、かつ吸引ポンプの電源を照明ランプと共通の電源ユニットから得るようにしたため、観察機能だけでなく処置機能も兼ねそなえたコンパクトなバッテリ式内視鏡装置となり用途がさらに広がる。
【０１５４】
その他は第３の実施の形態と同じ効果を有する。  
なお、上述した実施の形態等を部分的等で組み合わせる等して形成される実施の形態等も本発明に属する。
【０１５５】
［付記］
１．照明光を導光するためのライトガイドファイバと、前記ライトガイドファイバの入射端に光を入射する照明ランプと、前記照明ランプを点灯させるための電源を操作部に設けた内視鏡において、
少なくとも電源と電源収納部とを有する内部ユニットと、内部ユニット全体を覆う外装カバーとを有し、前記外装カバーは操作部に対し着脱自在であることを特徴とする内視鏡。
【０１５６】
２．前記照明ランプは操作部内に収納され、内部ユニットからの電流が前記照明ランプに導かれることを特徴とする付記１記載の内視鏡。  
３．前記内部ユニットは、電源と電源収納部と照明ランプおよび照明ランプを点灯及び消灯するためのスイッチを有し、前記スイッチは外装カバーに設けた導電性を持たないスイッチ操作部により操作されることを特徴とする付記１記載の内視鏡。
【０１５７】
４．前記電源は乾電池から成ることを特徴とする付記３記載の内視鏡。  
５．前記スイッチは弾性を有する導電部材から成る電気接点より構成されることを特徴とする付記３記載の内視鏡。  
６．前記スイッチ操作部はカム機構から成ることを特徴とする付記３記載の内視鏡。
【０１５８】
７．前記スイッチ操作部は弾性ゴム材から成ることを特徴とする付記３記載の内視鏡。  
８．前記内部ユニットに前記外装カバーを外装した時、内部ユニットに設けられた照明ランプの光軸が、外装カバーに設けた操作部との接続部の方向を向くように、内部ユニットおよび外装カバー各々に位置決め用嵌合部を設けたことを特徴とする付記１記載の内視鏡。
【０１５９】
９．照明光を導光するためのライトガイドファイバを操作部に設け、前記ライトガイドファイバの入射端に光を照射するための光供給ユニットを操作部に対して着脱自在に設けた内視鏡において、
前記光供給ユニットは電源と電源収納部とを有する内部ユニットと、照明ランプを水密構造で内蔵し、前記内部ユニットの一部が露呈するように、内部ユニットを着脱自在に外装する外装カバーとから成ることを特徴とする内視鏡。
【０１６０】
１０．前記照明ランプは複数個から構成され、そのうちの１つに選択的に電流の供給、及び全ての照明ランプへの電流供給を遮断する切換手段を外装カバーに設けたことを特徴とする付記９記載の内視鏡。  
１１．前記内部ユニットに設けた電源は充電式バッテリからなり、商用交流電源に接続可能な充電装置を備えた内視鏡ハンガに操作部を掛けたとき、前記充電装置から内部ユニット内の前記充電式バッテリに充電に必要な電圧がかかるようにしたことを特徴とする付記９記載の内視鏡。
【０１６１】
１２．前記充電式バッテリの電気接点が、外装カバーより露呈した内部ユニット上に設けられていることを特徴とした付記１１記載の内視鏡。  
１３．前記内部ユニットは前記外装カバーに対し２通りの取付方向があり、第１の方向では照明ランプ点灯待機状態、第２の方向では充電待機状態となることを特徴とする付記１１記載の内視鏡。
【０１６２】
１４．照明光を導光するためのライトガイドファイバと、前記ライトガイドファイバの入射端に光を入射する照明ランプと、前記照明ランプを点灯させるための電源と、一端が挿入部先端に開口した吸引チャンネルを操作部に設けた内視鏡において、
吸引手段を操作部に設けたことを特徴とする内視鏡。
【０１６３】
１５．前記吸引手段は、前記電源からの供給電流により作動することを特徴とする付記１４記載の内視鏡。  
１６．前記吸引手段は電動式吸引ポンプから成ることを特徴とする付記１５記載の内視鏡。
【図面の簡単な説明】
【０１６４】
【図１】本発明の第１の実施の形態の内視鏡の全体構成を示す斜視図。
【図２】バッテリ型光源の構成を分解して示す斜視図。
【図３】ライトガイド口金及びこのライトガイド口金に着脱自在で接続されるバッテリ型光源の内部構造等を示す断面図。
【図４】図３のＥーＥ線断面等を示す図。
【図５】図４のＦーＦ線断面でつまみ部等を示す図。
【図６】つまみ部を回動した場合の回動規制の作用の説明図。
【図７】ライトガイド口金に接続口金を接続した場合における接続部付近の構造を示す断面図。
【図８】図４のＧ−Ｇ線断面で、カムの回動によりスイッチがＯＮ，ＯＦＦされる構造を示す図。
【図９】第１の変形例におけるスイッチの構造を示す図。
【図１０】第２の変形例におけるスイッチの構造を示す図。
【図１１】本発明の第２の実施の形態におけるバッテリ光源を示す斜視図。
【図１２】バッテリ光源を示す断面図。
【図１３】第２の実施の形態の内視鏡及び内視鏡ハンガを示す図。
【図１４】第１の変形例におけるバッテリ光源を示す斜視図。
【図１５】第２の変形例におけるバッテリ光源を示す断面図。
【図１６】本発明の第３の実施の形態の内視鏡の構成を示す図。
【図１７】本発明の第４の実施の形態の内視鏡の構成を示す斜視図。
【図１８】従来例のバッテリ光源を示す断面図。
【符号の説明】
【０１６５】
１…内視鏡
２…内視鏡本体
３…バッテリ型光源
４…バッテリユニット
５…ランプユニット
６…内部ユニット
７…ランプハウス
８…バッテリケース
９…外装カバー
１０…挿入部
１１…操作部
１３…ライトガイド口金
１４…接続口金
１５…先端部
２４…ランプ
２５…ライトガイドファイバ
２６…光入射端面
２７…ライトガイドロッド
２８…カバーガラス
３１…防熱カバー
３９…ランプユニット本体
４１…ランプユニットベース
４３…ランプベース
４４…板バネスイッチ
４６…接点板
４７…集光レンズ
４８…レンズ枠
４９…電池ボックス
５２…プレート
５６…電源スイッチ
５８…カム
６０…つまみ部
６１…回動規制バネ
６２…円形凹部
【図１】
2005334678.tif 000003
【図２】
2005334678.tif 000004
【図３】
2005334678.tif 000005
【図４】
2005334678.tif 000006
【図５】
2005334678.tif 000007
【図６】
2005334678.tif 000008
【図７】
2005334678.tif 000009
【図８】
2005334678.tif 000010
【図９】
2005334678.tif 000011
【図１０】
2005334678.tif 000012
【図１１】
2005334678.tif 000013
【図１２】
2005334678.tif 000014
【図１３】
2005334678.tif 000015
【図１４】
2005334678.tif 000016
【図１５】
2005334678.tif 000017
【図１６】
2005334678.tif 000018
【図１７】
2005334678.tif 000019
【図１８】
2005334678.tif 000020